(57)【要約】【課題】紫外光発生装置の電気回路の簡略化と光触媒作用を行うための光触媒性物質と光源の配置を簡略化すること。【解決手段】記録するための複数の記録部材と記録部材上にある未定着画像に含まれる複数のトナーと、前記未定着画像を定着するために必要な熱を加える複数の加熱手段と、前記未定着画像を定着するために必要な圧力を加える加圧手段を有し、前記記録部材にトナーを定着するための機能を有する定着装置を備え、前記定着装置には、前記記録部材を出力したときに前記記録部材が前記加熱手段に巻付くのを防ぐための巻付き防止フラグを備え、前記巻付き防止フラグの側面には、光触媒性物質と複数の光触媒性物質で皮膜を形成されたセラミックヒーターと、前記セラミックヒーターの前に設けられた紫外光発光照射と複数の紫外光発光照射できる装置が設置されている定着装置を兼ね備える。【選択図】図１
2007121475.tif 000002
【特許請求の範囲】
【請求項１】
電子写真方式の画像形成装置の機械内部において、記録するための複数の記録部材と記録部材上にある未定着画像に含まれる複数のトナーと、前記未定着画像を定着するために必要な熱を加える複数の加熱手段と、前記未定着画像を定着するために必要な圧力を加える加圧手段を有し、前記記録部材にトナーを定着するための機能を有する定着装置を備え、前記定着装置には、前記記録部材を出力したときに前記記録部材が前記加熱手段に巻付くのを防ぐための巻付き防止フラグを備え、前記巻付き防止フラグの側面には、光触媒性物質と複数の光触媒性物質で皮膜を形成されたセラミックヒーターと、前記セラミックヒーターの前に設けられた紫外光発光照射と複数の紫外光発光照射できる装置が設置されている定着装置を兼ね備えたことを特徴とする画像形成装置。
【請求項２】
上記定着装置の紫外光照射は放電装置及び複数の放電装置ではなく、自身が発光する紫外光装置及び複数の紫外発光装置を備えた定着装置を有することを特徴とする請求項１記載の画像形成装置。
【発明の詳細な説明】
【技術分野】
【０００１】
本発明は、トナー像等の現像剤像が転写されている記録部材に加熱手段からの熱を加えることによって前記記録部材へ前記現像剤像を定着することを行う定着装置で、定着に必要な熱エネルギーと加圧力を付与する方式の前記定着装置を備える画像形成装置に関するものである。
【背景技術】
【０００２】
従来の定着装置を用いた画像形成装置では、記録部材上にトナーを転写されて保持された未定着画像に熱エネルギーと加圧力を加えて定着した記録部材を印刷出力とする画像形成装置において、記録部材を定着した後、定着されずに残った有機物の廃トナーを分解する構成は提案されている（例えば、特許文献１）。
【特許文献１】特開２００３−１５６９６２号公報
【発明の開示】
【発明が解決しようとする課題】
【０００３】
光触媒性物質の酸化チタンは、紫外光を受けることにより表面の酸化チタンは活性酸素（０２シーパーオキサイドイオン）と水酸化ラジカル（ＯＨ）の２種類の物質を発生する。上記光触媒性物質は紫外光を当てることで有機物であるトナーを分解することができる。
【０００４】
しかし、引用文献１に開示された方法は、紫外光発生装置としてコロナ放電装置を用いられている。上記コロナ放電装置では、上記コロナ放電装置を形成する電気回路が煩雑化してしまう。
【０００５】
又、上記コロナ放電装置では、光触媒作用を紫外光が上記光触媒性物質との距離を保つため、良い配置をするための精度が要求されてしまう。
【０００６】
本発明は、上記従来の光触媒作用を用いた定着装置における問題、特に紫外光発生装置の電気回路の簡略化と光触媒作用を行うための光触媒性物質と光源の配置を簡略化することを目的とする。
【課題を解決するための手段】
【０００７】
上記目的を達成するため、本発明は、電子写真方式の画像形成装置の機械内部において、記録するための複数の記録部材と記録部材上にある未定着画像に含まれる複数のトナーと、前記未定着画像を定着するために必要な熱を加える複数の加熱手段と、前記未定着画像を定着するために必要な圧力を加える加圧手段を有し、前記記録部材にトナーを定着するための機能を有する定着装置を備え、前記定着装置には、前記記録部材を出力したときに前記記録部材が前記加熱手段に巻付くのを防ぐための巻付き防止フラグを備え、前記巻付き防止フラグの側面には、光触媒性物質と複数の光触媒性物質で皮膜を形成されたセラミックヒーターと、前記セラミックヒーターの前に設けられた紫外光発光照射と複数の紫外光発光照射できる装置が設置されている定着装置を兼ね備えたことを特徴とする。
【発明の効果】
【０００８】
本発明によれば、ＬＥＤを使うことで紫外光発光装置の構成簡略化を図り、各ユニットの配置精度を簡略化することができる。
【発明を実施するための最良の形態】
【０００９】
以下、添付図面を参照して、本発明の一実施形態として画像形成装置を説明する。各図において、同一の参照番号を付した部材は同一部材を表すものとし、重複説明は省略する。
【００１０】
本発明の実施するための最良の形態を図１、図２、図４及び図５に基づいて説明する。図１は本発明に係る画像形成装置に使用されている機内断面図の一部であり、記録部材が未定着のまま装置内にあることを示した図である。
【００１１】
トナー６の載った記録部材で、加熱ローラ１と加圧ローラ２の間を通ることによりトナー６を記録部材に定着させる。
【００１２】
図２は定着された６の記録部材が定着装置及び画像形成装置を出たところの状態を示す図である。
【００１３】
図２に示すように、記録部材が定着装置及び画像形成装置を出たことを排紙センサー３でマイクロコンピュータ（以下、ＣＰＵと略す）１４に信号を送る。ＣＰＵ１４が排紙センサー３より信号受け取った後に、画像形成装置内に他の記録部材の有無を各センサー出力装置１３より出力されたセンサー出力信号にてＣＰＵ１４が判断する。ＣＰＵ１４では、センサー出力装置１３のセンサー出力信号及び排紙センサー３の信号により、画像形成装置内に記録部材があるときは、引続き記録部材の定着や画像形成装置の通常動作を行う。
【００１４】
又、センサー出力装置１３のセンサー出力信号及び排紙センサー３の信号により、画像形成装置内に記録部材が無いことを認識したときは、ＣＰＵ１４は、図５のフローチャートに基づき、紫外光出力装置９にＬＥＤ点灯信号を送る。これを受け、紫外光出力装置９は、紫外光発生装置５にてＬＥＤを点灯する。光触媒性物質７で皮膜を形成されたヒーター５への紫外光発生装置５で作られた紫外光を照射する。これにより、定着器周辺の汚れ（主にトナー）を光触媒作用により分解する。
【００１５】
しかし、光触媒作用でトナーを分解すると超親水性が発生する問題が生じる。
【００１６】
そこで、ＣＰＵ１４にてＬＥＤ点灯信号を出力した後に、ヒーター駆動装置１１へヒーター点灯信号を出力し、ヒーター駆動装置１１より光触媒性物質７で皮膜を形成されたヒーターを駆動する。このときに発生する熱により、超親水生を蒸発させる。
【００１７】
このことにより光発生装置の制御は特別な装置ではなく、ＬＥＤ発光信号のみで実現できるため、回路の簡略化が実現できる。又、ＬＥＤによる紫外光発光のため、光触媒性物質に紫外光が届けば上記光触媒作用を行うことができるため、配置にも幅を持たせることができる。
【図面の簡単な説明】
【００１８】
【図１】本発明における定着装置の断面図で、記録媒体が定着装置に近づいた図面である。
【図２】本発明における定着装置の断面図で、記録媒体が定着装置を抜けた図面である。
【図３】本発明における光触媒作用をもたらすための光触媒性物質で皮膜を形成されたヒーターの断面図である。
【図４】本発明における光触媒作用を行うためのブロック図である。
【図５】本発明におけるフローチャートである。
【符号の説明】
【００１９】
１    加熱ローラ
２    加圧ローラ
４    巻付き防止フラグ
５    紫外光照射装置（紫外光発生ＬＥＤ）
６    記録媒体
７    光触媒性物質で皮膜を形成されたヒーター（酸化チタンを塗布したセラミックヒータ）
９    紫外光出力装置（ＬＥＤ駆動）
１１  ヒーター駆動装置
１３  各センサー出力装置
１４  入出力管理装置（ＣＰＵ）
Ａ    光触媒（酸化チタン）をコーディングしたガラス
Ｂ    発熱体
Ｃ    セラミック
【図１】
2007121475.tif 000003
【図２】
2007121475.tif 000004
【図３】
2007121475.tif 000005
【図４】
2007121475.tif 000006
【図５】
2007121475.tif 000007